(57)【要約】【目的】チャンネル選択時の操作性に優れたディジタル放送受信装置を提供する。【構成】デマルチプレクサ３によって放送局が発するディジタル放送波からチャンネルリストデータやリモコンキーＩＤが分離され、これらデータをＣＰＵ１３が取得する。前記リモコンキーＩＤが示す番号のワンタッチキーに当該放送局を受信するための周波数情報やチャンネルリストを対応させる。ユーザによってリモコン送信機１０のワンタッチキーが押下されると、前記チャンネルリストに基づいてチャンネル群のなかから一つのサービスを選局する。そして、リモコン送信機１０のサブサービスキーが押下される度に前記チャンネル群のなかで順次に別のチャンネルを選局していく。【選択図】    図１
2004179717.tif 000002
【特許請求の範囲】
【請求項１】
グループ化されたチャンネル群を割当キーに対応付ける手段と、前記チャンネル群の選局関連情報を格納する手段と、前記割当キーが操作されたときに対応するチャンネル群のなかの一つのチャンネルの選局処理を行う手段と、を備え、前記割当キー及びチャンネルＵＰ／ＤＯＷＮキーとは別に設けられた所定キーが操作される度に前記チャンネル群のなかで順次に別のチャンネルを選局していくように構成されたことを特徴とするディジタル放送受信装置。
【請求項２】
請求項１に記載のディジタル放送受信装置において、チャンネル群のグループ化は、同一の放送事業者、同一のネットワーク、及び同一のトランスポートストリームのいずれかに対応して行うようにしたことを特徴とするディジタル放送受信装置。
【請求項３】
請求項１又は請求項２に記載のディジタル放送受信装置において、グループ化されたチャンネル群を割当キーに対応させる処理は、ディジタル放送波に含まれているリモコンキーＩＤに基づいて当該ＩＤが示す番号を有する割当キーに対して行うように構成されていることを特徴とするディジタル放送受信装置。
【請求項４】
請求項１乃至請求項３のいずれかに記載のディジタル放送受信装置において、所定キーが操作される度にチャンネル群のなかの全てのチャンネルについて順次に別のチャンネルを選局していくか、或いはチャンネル群のなかの同一メディアチャンネル内で順次に別のチャンネルを選局していくかを、ユーザが選択できるように構成されたことを特徴とするディジタル放送受信装置。
【請求項５】
請求項１乃至請求項４のいずれかに記載のディジタル放送受信装置において、前記所定キーを用いる選局とするか否かをユーザが選択できるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、このようなディジタル放送では、放送事業者ごとにキー（ワンタッチキー，プリセットキー等）を割り当て、当該割当キーを操作することでダイレクトに所望の放送事業者のチャンネルを選択できるようにすることが考えられている。これに関する従来技術としては、所定の釦に対応して割り当てられている一つの放送事業者の複数のチャンネルのなかから一つのチャンネルを選局するものがある（特許文献１参照）。
【０００４】
【特許文献１】
特開平１０−１４９４５１号公報
【０００５】
【発明が解決しようとする課題】
ところで、ディジタル放送では、同一の放送事業者（同一の放送局）、ネットワーク等が一つのグループとして様々な形態で複数チャンネル放送を行うことが可能であり、例えばテレビ放送、ラジオ放送、データ放送といった複数のメディアで放送することができる。これらの放送にそれぞれワンタッチキーを割り当てるとすると、キー数が膨大になり、リモコン送信機を肥大化させてしまうため、１つのワンタッチキーに同一放送事業者の複数の放送（チャンネル）を割り当てるといったことが行われている。
【０００６】
図３には、ワンタッチキー「３」に割り当てられた○○放送局のチャンネル構成が例示されている。この例では、○○放送局は、テレビ及びラジオの２つのメディアで放送を行っており、各メディアはそれぞれ一つのメインサービス（各メディアのなかの主チャンネル）と二つのサブサービスから成る。
【０００７】
ワンタッチキー「３」が操作されると、例えば、○○放送局のテレビ放送のメインサービスであるｃｈ１０１が最初に選局されることになる。○○放送局の提供する同一メディアのサブサービス（ｃｈ１０２又はｃｈ１０３）を選局するには、例えばリモコン送信機に設けられたチャンネルＵＰ／ＤＯＷＮキーを操作することになる。一方、異なるメディア（ここではラジオ放送）のチャンネルを選局するには、例えばリモコン送信機に設けられたメディアキーを操作して、メディアを切り替える。メディアキー操作により選局されるチャンネルは、選択されたラジオメディアにおけるメインサービス（ｃｈ４０１）であるので、当該ラジオメディアのサブサービス（ｃｈ４０２又はｃｈ４０３）を選局するには、チャンネルＵＰ／ＤＯＷＮキーを操作することになる。
【０００８】
従って、例えば、或るワンタッチキーに割り当てられた複数メディアの放送の中から任意のチャンネルを選局するためには、複数キーの操作が必要とされることになり、例えばメディア種別やメイン／サブサービスなどを意識していないユーザにとって分かりづらいものであった。また、○○放送局の提供するチャンネル群のなかで最端のチャンネルが選局されている状態でチャンネルＵＰ／ＤＯＷＮキーを操作すると、別の放送局の選局に遷移してしまう場合があり、同一放送局のチャンネル群内でサイクリックに選局を行なうことはできなかった。
【０００９】
この発明は、上記の事情に鑑み、チャンネル選択時の操作性に優れたディジタル放送受信装置を提供することを目的とする。
【００１０】
【課題を解決するための手段】
この発明のディジタル放送受信装置は、上記の課題を解決するために、グループ化されたチャンネル群を割当キーに対応付ける手段と、前記チャンネル群の選局関連情報を格納する手段と、前記割当キーが操作されたときに対応するチャンネル群のなかの一つのチャンネルの選局処理を行う手段と、を備え、前記割当キー及びチャンネルＵＰ／ＤＯＷＮキーとは別に設けられた所定キーが操作される度に前記チャンネル群のなかで順次に別のチャンネルを選局していくように構成されたことを特徴とする。
【００１１】
上記の構成であれば、割当キーにてグループ内の複数のチャンネルのなかから一つのチャンネルを選局できると共に、ユーザが当該複数のチャンネルのなかの他のチャンネルを見てみたいと希望する場合には、所定キーを繰り返し操作すれば済むことになり、チャンネル選択の操作性が良くなる。
【００１２】
チャンネル群のグループ化は、同一の放送事業者、同一のネットワーク、及び同一のトランスポートストリームのいずれかに対応して行うのがよい。
【００１３】
また、所定キーが操作される度にチャンネル群のなかの全てのチャンネルについて順次に別のチャンネルを選局していくか、或いはチャンネル群のなかの同一メディアチャンネル内で順次に別のチャンネルを選局していくかを、ユーザが選択できるように構成されているのがよい。これによれば、例えば、テレビチャンネルしか見ないとしているユーザにおいては、チャンネル群のなかのテレビメディアチャンネル内で順次に別のチャンネルを選局していく設定を選択すればよいことになり、このような要望の下でのチャンネル選択の操作性が良くなる。
【００１４】
また、前記所定キーを用いる選局とするか否かをユーザが選択できるように構成されているのがよい。
【００１５】
【発明の実施の形態】
以下、この発明の実施形態を図１及び図２に基づいて説明する。図１は地上波ディジタル放送を受信するこの実施形態のディジタル放送受信装置３０を示したブロック図であり、図２はリモコン送信機１０の平面図である。なお、従来例の説明で用いた図３をここで再び用いることとする。
【００１６】
図１において、地上波アンテナ１は屋外において所定の方向に向けて配置されており、地上波ディジタル放送信号を受信する。この地上波アンテナ１は受信した信号を地上波ディジタルチューナ２に与える。
【００１７】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１８】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報（番組名、番組開始時間、番組内容等）などをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１９】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２０】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２１】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２２】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００２３】
リモコン送信機１０は、図２に示しているように、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。なお、この実施形態においては、リモコン送信機１０に設けた「１」乃至「１２」の数字が表記されたキーを割当キー（以下、ワンタッチキーという）とする。そして、ここでは一つの放送事業者が一つのトランスポートストリームで放送を行っている場合を想定し、一つのワンタッチキーには一つの放送事業者を対応させるものとする。また、リモコン送信機１０には、所定キーとしてサブサービスキーが設けられている。
【００２４】
メモリ（例えば、ＲＡＭ、ＥＥＰＲＯＭ、フラッシュメモリ等）１４には、ＥＰＧ画面を表示するための情報の他、チャンネル情報（周波数情報、リモコンキーＩＤに対応させたチャンネルリストや放送局名などの情報、またメディア種別やサービス種別情報）などが格納される。
【００２５】
ＣＰＵ１３は、このディジタル放送受信装置３０における全体制御を行うものであるが、特にこの発明にかかる処理として、チャンネルサーチ処理、リモコンキーＩＤの取得処理、ワンタッチキーの割当処理、ワンタッチキー操作による選局処理、サブサービスキー操作による選局処理、サブサービスキーの設定処理等を行う。
【００２６】
（チャンネルサーチ処理）
例えば、受信装置３０の初回電源投入時、ＣＰＵ１３は自動的にチャンネルサーチを実行するようになっている。ＣＰＵ１３は、チューナ２に地上波ディジタル放送が送信されるＵＨＦ帯域の最も低い周波数を選局させて有局判定を行う。有局と判断した場合には、その周波数情報、局情報（放送局系列名等）、チャンネルリストデータを抽出し、メモリ１４に記憶する。この処理を、順次周波数を上げて最も高い周波数まで続ける（例えば、１２ｃｈ乃至６１ｃｈまで）。
【００２７】
（リモコンキーＩＤの取得処理）
上述したチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）やＢＩＴ（Ｂｒｏａｄｃａｓｔｅｒ  Ｉｎｆｏｒｍａｔｉｏｎ  Ｔａｂｌｅ）のなかからリモコンキーＩＤ（ＴＳ番号記述子）などの情報を取得し、上述した周波数情報等と対応付けてメモリ１４に記憶する。
【００２８】
（ワンタッチキーの割当処理）
取得したリモコンキーＩＤが示す番号のワンタッチキーに当該放送局を受信するための周波数情報等を対応させる。すなわち、○○放送局がＴＳ番号記述子にリモコンキーＩＤとして「３」を付加して送信することにより、受信装置の側ではこの情報を受信してリモコンキーＩＤを取得し、リモコン送信機１０のワンタッチキー「３」に○○放送局を設定する。以降、ユーザによってリモコン送信機１０のキー「３」が押下されると、○○放送局のチャンネルが選局されるようになる。
【００２９】
（サブサービスキーの設定）
例えば、ユーザはメニュー画面に設けられた「サブサービスキーの設定」の項目を選択して、サブサービスキーの設定することができる。ここで、サブサービスキーとは、ワンタッチキーの操作によりメインサービスが選局された後、当該ワンタッチキーに割り当てられた他のチャンネルを選局するために用いられるキーである。ユーザは、「同一メディアのチャンネルから選局」と「全メディアのチャンネルから選局」と「サブサービスキーによるチャンネル選択は行なわない」のなかからいずれかを選択し（カーソルを移動させ）、例えば決定キーを押下して設定を確定させる。
【００３０】
（ワンタッチキー操作による選局処理）
ユーザによってリモコン送信機１０のワンタッチキー「３」が押下されると、○○放送局のチャンネルを選局する処理を行うが、ディジタル放送では各放送局で複数のチャンネルを用意することが可能であることから、前記チャンネルリストのなかの一つのチャンネルを選択する処理を行う。ここで、各放送局は、メインサービスの番号を小さく（若く）する傾向にあると考えられるので、最初に選局するチャンネルをそのチャンネル群のなかの最も小さい番号のチャンネルとするようにしている。図３に示したように、○○放送局においてｃｈ１０１乃至ｃｈ１０３、ｃｈ４０１乃至ｃｈ４０３の６つのチャンネルを提供している場合には、ワンタッチキー「３」が押されると、メインサービスであるｃｈ１０１が選局されて画面に表示されることになる。
【００３１】
（チャンネル変更のための次操作）
▲１▼サブサービスキーの設定で「同一メディアのチャンネルから選局」が選択された場合
上記のごとくワンタッチキー「３」が押下されたことによりメインサービスであるｃｈ１０１が選局された状態でサブサービスキーが押下されると、同一メディアであるテレビ放送のサブサービス内で次に番号の小さいｃｈ１０２が選局されることになる。続けてサブサービスキーが押下されるとｃｈ１０３が選局され、更にサブサービスキーが押下されるとテレビ放送のメインサービスであるｃｈ１０１が選局されることになり、同一メディア内でサイクリックな選局が行なわれる。この「同一メディアのチャンネルから選局」を選択することにより、例えば、テレビチャンネルしか見ないとするユーザにおいて便利なものとなる。
【００３２】
▲２▼サブサービスキーの設定で「全メディアのチャンネルから選局」が選択された場合
同様にｃｈ１０１が選局された状態でサブサービスキーが押下されると、テレビ放送のサブサービスで次に番号の小さいｃｈ１０２が選局されることになる。続けてサブサービスキーが押下されるとｃｈ１０３が選局され、更にサブサービスキーが押下されていくと、ラジオ放送のメインサービスであるｃｈ４０１、サブサービスであるｃｈ４０２、ｃｈ４０３、テレビ放送のメインサービスであるｃｈ１０１…、のごとくサイクリックに選局されていくことになる。
【００３３】
▲３▼サブサービスキーの設定で「サブサービスキーによるチャンネル選択は行なわない」が選択された場合
かかる設定では、例えば、チャンネルＵＰ／ＤＯＷＮキーを操作することで他のチャンネルに遷移することになる。
【００３４】
上記の説明においては、ワンタッチキーの操作において最初に選局するチャンネルをそのチャンネル群のなかの最も小さい番号のチャンネルとする場合を例示したが、これに限るものではない。例えば、前述したチャンネル変更において選択されているチャンネルを記憶していくこととし、次回にワンタッチキー「３」が操作されたときには、前回の最後に選択されていたチャンネル（ラストチャンネル）を最初に選局するチャンネルとするようにしてもよい。また、チャンネルサーチを１２ｃｈ乃至６１ｃｈまで全て行うこととしたが、地域コードとその地で受信可能とされるチャンネルリストとを対応付けたテーブルをメモリに格納しておき、ユーザによる地域コードの入力によって前記リスト中のチャンネルについてだけ受信して情報を取り込むようにしてもよい。また、取得したリモコンキーＩＤに基づいてワンタッチキーを対応付けることとしたが、リモコンキーＩＤによらずに、各放送事業者のチャンネル群（グループ）をユーザが好みの番号のワンタッチキーに対応させることとしてもよい。また、上記の例では、一つの放送事業者が一つのトランスポートストリームで放送を行っている場合を想定し、一つのワンタッチキーには一つの放送事業者を対応させることとしたが、一つの放送事業者（放送局）が複数のトランスポートストリームを使って放送を行っている場合、或いは、逆に一つのトランスポートストリーム中に複数の放送事業者（放送局）が存在する場合を考慮すると、必ずしもワンタッチキーで放送事業者を選ぶということに限定されず、一つ或いは二以上のトランスポートストリーム内のチャンネル群を一つのグループとするようにしてもよい。すなわち、ワンタッチキーをどのようなグループ単位で設定するかは、放送がどのような形態で行われているかに対応して任意に決めることとすればよい。
【００３５】
【発明の効果】
以上説明したように、この発明によれば、チャンネル選択時の操作性を高めることができるという効果を奏する。
【図面の簡単な説明】
【図１】この発明の実施形態のディジタル放送受信装置を示したブロック図である。
【図２】リモコン送信機を示した平面図である。
【図３】チャンネル構成を例示した説明図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004179717.tif 000003
【図２】
2004179717.tif 000004
【図３】
2004179717.tif 000005